(57)【要約】【課題】  ユーザに対して文書を継続的に配信する配信元をユーザが評価できるようにする。【解決手段】  表示装置（電子ペーパＥＰ）は、配信元４３から継続的に配信される文書に基づく画像を表示する表示部２と当該文書に対する評価値の入力をユーザから受け付ける入力部５とを有している。入力部５で受け付けた評価値は、サーバ３０の評価履歴保持手段３７に当該評価値に係る文書の配信元に対応付けて蓄積保持され、集計手段３８が、蓄積された評価値を配信元４３に対応付けて集計して配信元評価情報を生成し、出力手段３９が、生成された配信元評価情報を出力する。【選択図】  図１
2007219690.tif 000002
【特許請求の範囲】
【請求項１】
配信元から継続的に配信される文書に基づく画像を表示する表示部と当該文書に対する評価値の入力をユーザから受け付ける入力部とを有する表示装置を用いたシステムであって、
入力部で受け付けた評価値を当該評価値に係る文書の配信元に対応付けて蓄積保持する評価保持手段と、
蓄積保持された評価値を配信元に対応付けて集計して配信元評価情報を生成する集計手段と、
生成された配信元評価情報を出力する出力手段と、
を備えたことを特徴とする配信元評価システム。
【請求項２】
請求項１に記載の配信元評価システムにおいて、
前記表示装置が、前記評価保持手段と、前記集計手段と、前記出力手段とを備え、
前記配信元から配信される文書には当該配信元の識別情報が付加されており、
前記評価保持手段は、自装置の入力部で受け付けた評価値と当該評価値に係る文書の配信元の識別情報とを対応付けて蓄積保持することを特徴とする配信元評価システム。
【請求項３】
請求項１に記載の配信元評価システムにおいて、
前記配信元評価システムは、前記評価保持手段と、前記集計手段と、前記出力手段とを備えた配信元評価装置を有し、
前記配信元から配信される文書には当該配信元の識別情報が付加されており、
前記表示装置は、前記入力部で受け付けた評価値と当該評価値に係る文書の配信元の識別情報とを対応付けて前記配信元評価装置に提供する提供手段を備え、
前記評価保持手段は、前記表示装置から提供された評価値と配信元の識別情報とを対応付けて蓄積保持することを特徴とする配信元評価システム。
【請求項４】
請求項３に記載の配信元評価システムにおいて、
前記表示装置は、自装置に対応付けられたユーザを特定するための特定情報を記憶保持しており、
前記提供手段は、前記入力部で受け付けた評価値と当該評価値に係る文書の配信元の識別情報とユーザの特定情報とを対応付けて提供し、
前記評価値保持手段は、前記表示装置から提供された評価値と配信元の識別情報とユーザの特定情報とを対応付けて蓄積保持し、
前記集計手段は、蓄積保持された評価値をユーザ毎に集計して配信元評価情報を生成することを特徴とする配信元評価システム。
【請求項５】
請求項１に記載の配信元評価システムにおいて、
前記配信元評価システムは、前記評価保持手段と、前記集計手段と、前記出力手段とを備えるとともに、ユーザを特定するための特定情報と当該ユーザに対して文書を配信する配信元の識別情報とを予め対応付けた対応テーブルを備えた配信元評価装置を有し、
前記表示装置は、自装置に対応付けられたユーザの特定情報を記憶保持しており、ユーザにより入力された評価値と当該ユーザの特定情報とを対応付けて前記配信元評価装置に提供する提供手段を備え、
前記評価保持手段は、前記表示装置から提供された評価値とユーザの特定情報とを対応付けて蓄積保持し、
前記集計手段は、蓄積保持された評価値をユーザ毎に集計して、当該ユーザに予め対応付けられた配信元の配信元評価情報を生成することを特徴とする配信元評価システム。
【請求項６】
請求項１乃至請求項５のいずれか１項に記載の配信元評価システムにおいて、
前記配信元評価システムは、入力部で評価値を受け付けた入力日時を特定する日時特定手段を備え、
前記評価保持手段は、評価値に当該評価値の入力日時を対応付けて蓄積保持し、
前記集計手段は、前記評価値をその入力日時に基づいて所定期間単位で集計して配信元評価情報を生成し、
前記出力手段は、所定期間単位で生成した配信元評価情報を時系列に出力することを特徴とする配信元評価システム。
【請求項７】
配信元から継続的に配信される文書に対してユーザが入力した評価値に基づいて配信元を評価する配信元評価装置であって、
文書に対して入力された評価値を当該文書の配信元に対応付けて蓄積保持する評価保持手段と、
蓄積保持された評価値を配信元に対応付けて集計して配信元評価情報を生成する集計手段と、
生成された配信元評価情報を出力する出力手段と、
を備えたことを特徴とする配信元評価装置。
【請求項８】
配信元から継続的に配信される文書に対してユーザが入力した評価値に基づいて配信元を評価する配信元評価装置を、コンピュータにより構成するプログラムであって、
文書に対して入力された評価値を当該文書の配信元に対応付けて蓄積保持する評価保持機能と、
蓄積保持された評価値を配信元に対応付けて集計して配信元評価情報を生成する集計機能と、
生成された配信元評価情報を出力する出力機能と、
をコンピュータに実行させることにより構成するプログラム。
【請求項９】
配信元から継続的に配信される文書に基づく画像を表示する表示部と当該文書に対する評価値の入力をユーザから受け付ける入力部とを有する表示装置を用いたシステムにより実施される方法であって、
前記システムは、評価保持手段と、集計手段と、出力手段と、を備え、
前記評価保持手段が、入力部で受け付けた評価値を当該評価値に係る文書の配信元に対応付けて蓄積保持し、
前記集計手段が、蓄積保持された評価値を配信元に対応付けて集計して配信元評価情報を生成し、
前記出力手段が、生成された配信元評価情報を出力することを特徴とする配信元評価方法。
【発明の詳細な説明】
【技術分野】
【０００１】
本発明は、ユーザに対して文書を継続的に配信する配信元をユーザが評価する技術に関する。
【背景技術】
【０００２】
コンピュータを利用したデータ処理により、文書の作成、編集、閲覧等がなされている。
このような電子データ文書の閲覧方法は、一般的に、コンピュータのディスプレイ画面に文書の画像を表示する、或いは、プリンタにより文書の画像を紙媒体である用紙に印刷することにより行われている。
【０００３】
近年では、用紙にとって代わることが可能な文書閲覧のための媒体として、用紙の如く柔軟な薄型で文書画像を書き換え可能且つ無電源状態で表示保持することができる電子ペーパが開発されている。
このような電子ペーパは、用紙と異なって表示部に表示保持した文書画像を消去したり上書きすることが可能であり、繰り返し使用することができるので紙資源の節約等の観点からも利用促進が望まれている。
【０００４】
ここで、情報の印刷が可能で識別コードが記憶された情報表示媒体に印刷されたコンテンツ情報、及び前記識別コードと前記コンテンツ情報との対応関係を記憶する記憶手段と、前記情報表示媒体から識別コードを読み取る読取手段と、前記読取手段により前記情報表示媒体から読み取られた識別コードと前記情報表示媒体に印刷されたコンテンツ情報との対応関係に基づいて、前記記憶手段からコンテンツ情報を検索し利用する検索手段とを備えたシステム構成として、紙に印刷された情報をシステムに簡単に取り込んで加工することを容易にする発明が提案されている（特許文献１参照。）。
【０００５】
また、表示装置を、その筐体表面に情報を表示する表示部と、筐体に対する外部からの刺激を検知する検知部と、各部を制御する制御部とを有した構成として、制御部が検知部からの検知信号に従って表示部に表示している地図の表示範囲をスクロールする等、操作ボタン等を必要とすることなく表示部に表示する情報を更新する発明が提案されている（特許文献２参照。）。
【特許文献１】特開２００４−３０２６１４号公報。
【特許文献２】特開２００５−１７４００６号公報。
【発明の開示】
【発明が解決しようとする課題】
【０００６】
近年、出版社や新聞社等の情報配信元が、ニュース、スポーツ、製品案内、技術情報等の各情報文書を、定期的（毎日、隔日、毎週等）或いは不定期ながらも継続して各閲覧ユーザに配信するサービスを行っている。文書の配信方式としては、社内広報やダイレクトメール等の紙を媒体に用いた方式や、携帯電話やパーソナルコンピュータに対して電子メールで送る方式などがある他、上述の電子ペーパを用いて行うことが考えられている。
【０００７】
ここで、配信元は、配信文書に対するユーザの満足度を高めて利用者数の増加を図るべく、配信文書についての各閲覧ユーザによる評価を収集して分析し、その結果を以降の配信文書に反映させて情報の質を高めるように努めている。
一方、閲覧ユーザ側は、各配信文書の閲覧毎にそれぞれの配信文書を評価するが、配信元自体を評価するためには、その配信元からの配信文書に対して過去に自分がどのような評価をしたかを把握しておく必要があり困難であった。特に、複数の配信元から文書が配信される状況においては、配信元を意識せずに配信文書を閲覧することが多いため、各配信元を評価することは更に困難になっていた。
【０００８】
本発明は、上記従来の事情に鑑みなされたものであり、ユーザに対して文書を継続的に配信する配信元を、ユーザが評価できるようにすることを目的としている。
【課題を解決するための手段】
【０００９】
本発明は、配信元から継続的に配信される文書に基づく画像を表示する表示部と当該文書に対する評価値の入力をユーザから受け付ける入力部とを有する表示装置を用いた配信元評価システム、配信元評価システムを構成する配信元評価装置、配信元評価装置をコンピュータにより構成するプログラム、配信元評価システムにより実施される方法として実現される。
【００１０】
本発明の配信元評価システムは、評価保持手段と、集計手段と、出力手段と、を備えており、評価保持手段が、入力部で受け付けた評価値を当該評価値に係る文書の配信元に対応付けて蓄積保持し、集計手段が、蓄積保持された評価値を配信元に対応付けて集計して配信元評価情報を生成し、出力手段が、生成された配信元評価情報を出力する。
すなわち、配信元から複数回配信された文書に対するユーザの評価値が配信元に対応付けて蓄積保持されており、蓄積した評価値を配信元に対応付けて集計して配信元評価情報が生成されて出力されるため、ユーザは、文書の閲覧毎に自己が行った過去の評価値に基づいて配信元自体を評価することができ、配信サービスの継続や中止の判断等に利用することができる。
【００１１】
本発明の配信元評価システムは、具体的には、例えば、評価保持手段と、集計手段と、出力手段とを表示装置が備えている。そして、配信元から配信される文書には当該配信元の識別情報が付加されており、評価保持手段は、自装置の入力部で受け付けた評価値と当該評価値に係る文書の配信元の識別情報とを対応付けて蓄積保持する。
すなわち、各ユーザによる評価値は当該ユーザが所有する表示装置に蓄積されるため、蓄積された評価値に基づいて当該ユーザの配信元に対する配信元評価情報が出力される。なお、配信元は１つでも複数でも構わず、配信元が複数の場合には、評価対象として指定された配信元についての評価値を集計して配信元評価情報を出力したり、各配信元毎に評価値を集計して一覧形式で配信元評価情報を出力したりすることができる。
【００１２】
また、本発明の配信元評価システムは、具体的には、例えば、評価保持手段と、集計手段と、出力手段とを備えた配信元評価装置を有している。そして、配信元から配信される文書には当該配信元の識別情報が付加されており、表示装置が、入力部で受け付けた評価値と当該評価値に係る文書の配信元の識別情報とを対応付けて配信元評価装置に提供し、配信元評価装置の評価保持手段は、表示装置から提供された評価値と配信元の識別情報とを対応付けて蓄積保持する。
すなわち、各ユーザによる評価値は当該ユーザが所有する表示装置に対応付けられた配信元評価装置に蓄積されるため、蓄積された評価値に基づいて当該ユーザに対応する配信元に対する配信元評価情報が出力される。なお、配信元は１つでも複数でも構わず、指定の配信元について配信元評価情報を出力したり、各配信元についての配信元評価情報を一覧形式で出力したりできる。
【００１３】
また、この場合は、表示装置に、当該装置に対応付けられたユーザを特定するための特定情報を記憶保持しておき、入力部で受け付けた評価値と当該評価値に係る文書の配信元の識別情報とユーザの特定情報とを対応付けて配信元評価装置に提供し、評価値保持手段が、提供された評価値と配信元の識別情報とユーザの特定情報とを対応付けて蓄積保持し、集計手段が、蓄積保持された評価値をユーザ毎に集計して配信元評価情報を生成するようにしてもよい。
すなわち、配信元評価装置には複数のユーザによる評価値が蓄積されており、各ユーザは自己が行った評価値に基づいて配信元評価情報を出力できる。
【００１４】
また、本発明の配信元評価システムは、具体的には、例えば、評価保持手段と、集計手段と、出力手段とを備えた配信元評価装置を有し、配信元評価装置は更に、ユーザの特定情報と当該ユーザに対して文書を配信する配信元の識別情報とを予め対応付けた対応テーブルを備えている。そして、表示装置は、当該装置に対応付けられたユーザの特定情報を記憶保持しており、ユーザにより入力された評価値と当該ユーザの特定情報とを対応付けて配信元評価装置に提供し、評価保持手段が、提供された評価値とユーザの特定情報とを対応付けて蓄積保持し、集計手段が、蓄積保持された評価値をユーザ毎に集計して、当該ユーザに予め対応付けられた配信元の配信元評価情報を生成する。
すなわち、或るユーザに対して文書を配信する配信元が予め定められており、各ユーザによる評価値はそれぞれのユーザに対応付けて配信元評価装置に蓄積されるため、各ユーザは自己が行った評価値に基づいて、当該ユーザについて予め定められた配信元の配信元評価情報を生成して出力できる。
【００１５】
また、本発明の配信元評価システムは、具体的には、例えば、入力部で評価値を受け付けた入力日時を特定する日時特定手段を備え、評価保持手段が、評価値に当該評価値の入力日時を対応付けて蓄積保持し、集計手段が、評価値をその入力日時に基づいて所定期間単位で集計して配信元評価情報を生成し、出力手段が、所定期間単位で生成した配信元評価情報を時系列に出力する。
したがって、ユーザは配信元評価情報の時系列変化を把握できるため、例えば、評価の変動がパターン化しているような場合に評価の高い期間のみ配信サービスを受けるようにすることができる。
【００１６】
表示装置としては、パーソナルコンピュータや携帯電話・ＰＤＡ等の携帯情報端末を用いることができるほか、配信元評価装置を備えたシステム構成においては、文書を表示する機能とユーザから評価値の入力を受け付ける機能と入力された評価値を提供する機能とを備えた電子ペーパを表示装置として用いることもできる。
ユーザの特定情報としては、ユーザＩＤ（ユーザの識別情報）を用いるほか、表示媒体ＩＤ（表示装置の識別情報）を用いてもよく、表示媒体ＩＤを用いる場合にはユーザＩＤと表示媒体ＩＤとを対応付けたテーブルを用意しておけばよい。
配信元評価情報の出力は、表示装置にて表示させてもよく、配信元評価装置が画面を備えている場合には配信元評価装置側で表示させてもよく、また、紙や電子ペーパ等の媒体に印刷出力してもよい。
【発明の効果】
【００１７】
本発明によると、配信元から継続的に配信される文書に対してユーザが入力した評価値を配信元に対応付けて蓄積保持しておき、蓄積された評価値を配信元に対応付けて集計して配信元評価情報を生成し、出力するようにしたため、ユーザによる個々の文書に対する評価値に基づいて総合的に配信元を評価することができる。
【発明を実施するための最良の形態】
【００１８】
本発明を実施例に基づいて具体的に説明する。
図１には、本例に係る配信元評価システムの構成を示してある。
なお、本例では電子ペーパＥＰを表示装置として用いているが、文書を表示する機能とユーザから評価値の入力を受け付ける機能と入力された評価値を提供する機能とを備えた他の装置を用いることができ、例えば、パーソナルコンピュータや携帯電話・ＰＤＡ等の携帯情報端末を用いてもよい。
【００１９】
まず、電子ペーパＥＰの基本的な構成及び機能について、図１１〜図１５に示す例を参照して具体的に説明する。
図１１には光書き込み型電子ペーパＥＰを示してあり、図示の電子ペーパＥＰは表示用画像を表示保持する表示部２と、表示部２に対する書き込み電圧を印加するための電極３とを有している。
光書き込み型電子ペーパＥＰは、例えばＡ４版の用紙のような大きさのフレキシブルな薄型であり、大部分の面積を占める表示部２に文書画像を無電源状態で表示保持する。
【００２０】
光書き込み型電子ペーパＥＰは、例えば、同図に示すように液晶パネル４に情報を画像として表示し、電極３に外部の電源から電圧を印加しながら光書き込み型電子ペーパＥＰを液晶パネル４に重ねて光を照射することにより、液晶パネル４に表示させた情報画像を表示部２に転写して記憶させることができる。要は、光書き込み型電子ペーパＥＰは電極３に電圧を印加することで投影された画像情報を表示部２に転写し、電極３３に印加した電圧を除去した後も当該画像情報を表示状態で保持し続ける機能を有している。
なお、光書き込み型電子ペーパＥＰを用いる場合は、後述する書込装置４１は、自装置にセットされた電子ペーパＥＰの電極３に書き込み電圧を印加し且つ文書画像を表示部２に投影する機能を有する。
【００２１】
光書き込み型電子ペーパＥＰは、表示部２の断面構造を表す図１３に示すように、複写機に利用されている有機光導電性材料の層（有機光導電層）１０と液晶表示材料の層（マイクロカプセル化したコレステリック液晶層）１１とを組み合わせ、これら層を表裏一対の透明電極１２で挟み、この積層体を表裏一対の透明な基材フィルム１３で挟んだ構造となっている。なお、この構成では、コレステリック液晶層１１が光を反射する白表示と、光が液晶層１１を透過しコレステリック液晶層１１と有機光導電層１０との間に設けられた黒色層１４で吸収される黒表示のモノクロ画像表示が可能である。さらにコレステリック液晶には螺旋ピッチに応じたカラー光を干渉反射するという特性があるので、コレステリック液晶層１１を螺旋ピッチの異なる液晶を積層した構成にすることにより、簡単な構造でカラー表示を実現することも可能である。
【００２２】
そして、光書き込み型電子ペーパＥＰは、表示部２の動作原理を表す図１２に示すように、例えば画像書込み用の調光素子パネル（発光パネル）４に転写する画像を表示して表示部２に投影し、電極３に電圧を印加すると、光の強弱を瞬時に反射濃度に変換して当該投影画像を保持する。そして、電極３に消去電圧を印加することにより表示部２に保持された画像情報を消去することができ、光書き込み型電子ペーパＥＰは書き込みと消去を繰り返して幾度も再使用することができる。なお、光書き込み型電子ペーパＥＰはこのような消去処理を行わずに、上記のように電極３に電圧を印加して新たな画像を投影することにより、表示部２に保持されている画像情報を上書きすることもでき、このような上書き処理によっても幾度も再使用することができる。
したがって、光書き込み型電子ペーパＥＰは、紙のように薄く柔軟である性質に加えて、画像の投影により転写された画像情報を無電源保持する性質があるので、あたかもプリンタや複写機に使用する紙の如く用いることができ、しかも、繰り返し再使用することができる表示装置である。
【００２３】
自己書き込み型電子ペーパＥＰは、光書き込み型電子ペーパＥＰと同様に例えばＡ４版の用紙のような大きさのフレキシブルな薄型画像表示保持媒体装置であり、大部分の面積を占める表示部２に加えて、表示部２にデータに応じて自ら画像を書き込む処理機能が設けられている。
処理機能には、表示部２を駆動するドライバ、後述する書込装置と無線通信するための無線部、電子データを読み書き自在に保持するメモリ、所定の処理を行う制御部（ＣＰＵ）、制御部等の機能手段に動作電力を供給するバッテリが設けられている。
なお、表示部２と処理機能部とを着脱可能として、例えばクリップ形式の処理機能部を表示部２に装着して接続することにより電子ペーパＥＰを構成するようにしてもよい。
【００２４】
このような自己書き込み型電子ペーパＥＰは、外部の書込装置と無線部で無線通信することにより文書画像の電子データを受信し、複数ページの電子データをメモリに保持することができる。
そして、自己書き込み型電子ペーパＥＰは、制御部の制御の下にドライバを駆動して、メモリに保持した電子データに基づいて表示部２に表示用画像を書き換え表示することができ、ドライバの駆動電力を除去しても表示部２に画像を表示状態で保持し続ける機能を有している。
なお、自己書き込み型電子ペーパＥＰを用いる場合は、後述する書込装置４１は、通信圏内にある電子ペーパＥＰへ表示用画像データを送信する機能を有する。
【００２５】
自己書き込み型電子ペーパＥＰは、表示部２の断面構造を表す図１５に示すように、複写機にトナーとして利用されている微細な着色粒子（図示の例では、白色粒子２１と黒色粒子２２）を少なくとも表面側が透明な表裏一対の電極２３間に封入し、これを少なくとも表面側が透明な表裏一対のフィルム基板２４で挟んだ構造となっている。着色粒子２１、２２が自由に移動できるように電極層２３間は空気層となっており、また、マトリックス状の電極層２３には着色粒子２１、２２との接触を防止する絶縁層２５が設けられている。なお、カラーフィルターを用いることにより、簡単な構造でカラー表示を実現することも可能である。
【００２６】
そして、自己書き込み型電子ペーパＥＰは、表示部２の動作原理を表す図１４に示すように、電極２３に電圧を印加していない状態（但し、電極２３は前回の駆動時の極性に帯電している）では、負（マイナス）に帯電した白色粒子２１は裏面側に溜まる一方、正（プラス）に帯電した黒色粒子２２は表面側に溜まり、表示部２を表面側から目視すると表示部２は黒色な状態となる。そして、電子データに基づいてドライバが動作して表示する情報画像に応じたマトリックスの所要部の電極極性を反転させると、白色粒子２１と黒色粒子２２との位置関係が入れ替わって、表示部２に白色粒子２１と黒色粒子２２とのコントラストによる画像情報が表示される。なお、異なる電子データに基づいてドライバを動作させることにより、白色粒子２１と黒色粒子２２とのコントラストにより表示部２に表示される画像情報を切り換えることができ、幾度も再使用することができる。
したがって、自己書き込み型電子ペーパＥＰは、紙のように薄く柔軟である性質に加えて、表示部２に表示した画像情報を無電源保持する性質があるので、あたかも紙の如く用いることができる表示装置である。
【００２７】
本例では、上記のような電子ペーパＥＰに、ユーザによる評価値の入力を検知するために、パッシブなセンサデバイスである複数のワイヤレスセンサ５を設けている。
パッシブなワイヤレスセンサ５は、それ自体に電波を自力で送信するバッテリや複雑な信号発生回路を持たないため、薄型でフレキシブルな紙状の形態を有する画像表示保持媒体（電子ペーパ）と一体化する上で適している。このようなデバイスは、所定の電波信号が外部から供給されると、それをエネルギー源として、電波信号を生成して出力する機能を有する。具体的な構成例としては、電波信号を受信して機械振動を発生させる励振部と、前記励振部が発生した機械振動が伝達されて弾性表面波を発生し、発生した弾性表面波を電気信号に変換して電波信号として出力する送信部とを備えたものなどが知られている（特願２００５−０７５８４２号参照。）。
【００２８】
上記のワイヤレスセンサ５を図１６を参照して詳しく説明する。
ワイヤレスセンサ５０（５）の構成は、図１６（ａ）にその平面構造を、図１６（ｂ）にその断面構造を示すように、Ｓｉを材料とする基板５１の上面を覆った酸化膜５１ａ上に、弾性表面波（ＳＡＷ：Surface Acoustic Wave）を伝播する誘電体薄膜５２を形成し、この誘電体薄膜５２上に、電気信号と弾性表面波とを変換する一対の櫛型電極（ＩＤＴ：Inter-digital Transducer）５３ａ（５３ｂ）と、櫛型電極５３ａ（５３ｂ）の一方にインピーダンスマッチング部５５ａ（５５ｂ）を介して接続されて外部の装置（送受信装置）と電波信号の送受信を行うアンテナ５４ａ（５４ｂ）と、櫛型電極５３ａ（５３ｂ）の他方に接続したグランド５６ａ（５６ｂ）と、ボタン状の受圧部５８を設けており、グランド５６ａ（５６ｂ）はスルーホール（図示せず）を介して基板５１の裏面側のグランド電極５７と接続している。
【００２９】
受圧部５８は、ワイヤレスセンサ５０から先端を若干突出するように設けてあり、受圧部５８に対応して基板５１の裏面側を異方性エッチングによりテーパ面をなした凹状に形成して、脆弱となった該部分により受圧部５８からの圧力に反応するダイヤフラム５１ｂを構成している。
【００３０】
このワイヤレスセンサ５０に対して送受信装置（後述の実施例では、読取装置４２）から電波信号が送信されるとアンテナ５４ａが受信し、アンテナ５４ａが電気信号に変換して櫛型電極５３ａに与える。そして、櫛型電極５３ａが電気信号に従って機械振動することで誘電体薄膜５２に弾性表面波が発生する。この弾性表面波は、誘電体薄膜５２上を櫛型電極５３ａから櫛型電極５３ｂに向かって移動し、櫛型電極５３ｂで電気信号に変換されてアンテナ５４ｂから応答信号として送信される。
ここで、受圧部５８に外部から圧力を加えられると、誘電体薄膜５２が歪むことによってその表面に発生する弾性表面波の振幅、位相差、周波数等の属性が変化し、この弾性表面波の属性の変化に伴って、櫛型電極５３ｂにより電気信号に変換されてアンテナ５４ｂから送信される応答信号が変化する。
したがって、送受信装置（読取装置４２）は、ワイヤレスセンサ５０から受信する応答信号の変化を解析することで、ワイヤレスセンサ５０の受圧部５８が押されたことを検出できる。
【００３１】
ワイヤレスセンサ５０における弾性表面波の周波数は、櫛型電極５３ａ（５３ｂ）、インピーダンスマッチング部５５ａ（５５ｂ）の形状により設定することができる。そこで、ワイヤレスセンサ５０を複数設ける場合にはワイヤレスセンサ５０毎に弾性表面波の周波数を異ならせればよく、各ワイヤレスセンサ５０からの応答信号の違いによりどのワイヤレスセンサ５０が押されたかを検出できる。すなわち、いずれのワイヤレスセンサ５０が押されたかという操作情報を送受信装置（読取装置４２）へ無線で提供することができる。
【００３２】
なお、例えば、受圧部５８に、押下操作を行う毎に、突出した状態（すなわち、上記歪みを生じさせない状態）と押し下げられた状態（上記歪みを生じさせた状態）とを交互に保持する公知のクリック機構を付加すれば、受圧部５８を押した状態（評価値）をワイヤレスセンサ５０が保持することができ、このように操作機構を保持したワイヤレスセンサ５０（すなわち、ワイヤレスセンサを設けた電子ペーパ）を送受信装置（読取装置４２）の通信圏内に持ち込むことで、上記と同様にして、ワイヤレスセンサ５０が保持している操作情報を送受信装置（読取装置４２）が応答信号として無線読み取りすることができる。
【００３３】
上記のような電子ペーパＥＰを表示装置として用いた配信元評価システムは、図１に示すように、文書を配信する複数の配信元４３とネットワークＮを介して通信するサーバ（配信元評価装置）３０と、電子ペーパＥＰとを備えており、処理装置３０は別体の装置として構成した書込装置４１と読取装置４２とを接続して有している。
本例の電子ペーパＥＰは、上述した複数のワイヤレスセンサ５に加えて、表示媒体ＩＤを読み取り可能に記憶保持するＲＦＩＤを更に備えている。
【００３４】
読取装置４２は、或る範囲内に動作電力を電波供給して当該範囲内に存するワイヤレスセンサ５及びＲＦＩＤを起動し、ワイヤレスセンサ５の状態（評価値）及び表示媒体ＩＤを無線読み取りする機能を有しており、読み取った評価値及び表示媒体ＩＤをサーバ３０に通知する。
書込装置４１は、上述したように電子ペーパＥＰの形式（光書き込み型又は自己書き込み型）に応じた機能を有しており、サーバ３０から供給される文書画像を表示部２に表示保持させるために電子ペーパＥＰに書き込む。また、電子ペーパＥＰのＲＦＩＤから表示媒体ＩＤを無線読み取りする機能も有している。
【００３５】
サーバ３０は、配信元４３から配信文書及び配信元ＩＤを受け取る通信手段３１、ユーザと電子ペーパＥＰとの対応関係を規定したユーザ対応テーブル３２、電子ペーパＥＰと配信元４３との対応関係を規定した媒体対応テーブル３３、選択肢情報を管理する選択肢テーブル３５、配信元４３と選択肢情報との対応関係を規定した配信元対応テーブル３４、配信文書に基づく文書画像を生成する書込制御手段３６、評価値を蓄積保持する評価履歴保持手段３７、評価値を集計して配信元評価情報を生成する集計手段３８、生成された配信元評価情報を出力する出力手段３９を有している。
なお、本例では、サーバ３０のコンピュータに本発明に係るプログラムを実行させることで、評価履歴保持手段３７、集計手段３８、出力手段３９が構成されている。
【００３６】
図２にはユーザ対応テーブル３２を例示してあり、本例では、同図（ａ）に示すように、各ユーザに対して１つの電子ペーパＥＰ（表示媒体ＩＤ）を対応付けている。図示の例によると、ユーザＩＤ「Ｕ１」と表示媒体ＩＤ「Ｍ１」とが対応付けられ、ユーザＩＤ「Ｕ２」と表示媒体ＩＤ「Ｍ２」とが対応付けられ、ユーザＩＤ「Ｕ３」と表示媒体ＩＤ「Ｍ３」とが対応付けられている。
【００３７】
図３には媒体対応テーブル３３を例示してあり、本例では、同図（ａ）に示すように、各電子ペーパＥＰ（表示媒体ＩＤ）に対して１つの配信元４３を対応付けている。図示の例によると、表示媒体ＩＤ「Ｍ１」と配信元ＩＤ「Ｒ１」とが対応付けられ、表示媒体ＩＤ「Ｍ２」と配信元ＩＤ「Ｒ２」とが対応付けられ、表示媒体ＩＤ「Ｍ３」と配信元ＩＤ「Ｒ３」とが対応付けられている。
【００３８】
図４には配信元対応テーブル３４を例示してあり、本例では、同図に示すように、各配信元４３に対して１つの選択肢テーブルを対応付けている。図示の例によると、配信元ＩＤ「Ｒ１」と選択肢テーブルＩＤ「Ｔ１」が対応付けられ、配信元ＩＤ「Ｒ２」と選択肢テーブルＩＤ「Ｔ１」が対応付けられ、配信元ＩＤ「Ｒ３」と選択肢テーブルＩＤ「Ｔ２」が対応付けられている。
【００３９】
図５には選択肢テーブル３５を例示してあり、本例では、（ａ）及び（ｂ）に示すようにＴ１、Ｔ２の２種類のテーブルが用意されている。
各テーブルは、選択肢情報を示すＩＤ（選択肢の番号）にその操作内容（理解度、お勧め度）を対応付けており、例えば、テーブルＴ１では操作情報ＩＤ「１」に理解度「できなかった」が対応付けられ、テーブルＴ２では操作情報ＩＤ「３」にお勧め度「どちらでもない」が対応付けらている。
【００４０】
書込制御手段３６は、配信元４３から配信される配信文書及び配信元ＩＤをメモリ（図示せず）上に蓄えており、電子ペーパＥＰに書き込むための画像を生成して書込装置４１に提供する処理を行う。
具体的には、まず、書込装置４１に装着された電子ペーパＥＰの表示媒体ＩＤに対応する配信元ＩＤを媒体対応テーブル３３を参照して特定する。そして、配信元ＩＤに対応する選択肢テーブルＩＤを配信元対応テーブル３４を参照して特定し、該当する選択肢テーブル３５の選択肢情報に基づいて選択肢画像を生成する。この選択肢画像を、配信元ＩＤに該当する配信文書の画像と合成して表示用画像を生成し、書込装置４１に供給して電子ペーパＥＰの表示部に書き込ませる処理を行う。すなわち、配信元４３に対応付けられた電子ペーパＥＰに対して、配信元４３に応じた選択肢画像と配信文書の画像とを合成した画像の書き込みを行う。
【００４１】
図６には電子ペーパＥＰを正面視した構成を示してあり、本例では、表示部２の下部に５個のワイヤレスセンサ５が配列して設けられている。
表示部２には、配信文書の画像を表示する文書表示領域２ａの下部に、図５に示した理解度、お勧め度に係る選択肢情報に基づく選択肢画像を表示する選択肢表示領域２ｂが設けられている。
選択肢画像はワイヤレスセンサ５の位置に対応するように配置してあり、ユーザは選択肢に対応する位置のワイヤレスセンサ５を押すと、どのワイヤレスセンサ５が押されたかが読取装置４２により検出されるため、ユーザが選んだ選択肢（評価値）がいずれかを判定することができる。
なお、上述のように配信元４３に応じて選択肢画像を切り換える他、例えば、ワイヤレスセンサ５自体に予め規定した評価値を記しておき、選択肢画像を書き込まないようにしてもよい。
【００４２】
図５には文書画像と選択肢画像とを合成して電子ペーパＥＰの表示部２に表示保持させた具体例を示してある。
同図（ａ）は製品案内として配信された文書の表示例であり、製品の内容と、当該製品に関するお勧め度の選択肢情報（１〜５の程度）を表示部２に表示し、５段階のお勧め度の選択肢（１〜５）はそれぞれ５個のパッシブセンサ５の位置に対応して表示されている。
同図（ｂ）は技術説明として配信された文書の表示例であり、技術情報の説明と、当該説明に関する理解度の選択肢情報（できなかった、どちらでもない、よくできた）を表示部２に表示し、３段階の理解度の選択肢は５個のパッシブセンサ５の内の１つ置きに配された３つの位置に対応して表示されている。
【００４３】
図８には評価履歴保持手段３７が蓄積している情報を例示してあり、本例では、同図（ａ）に示すように、評価がなされた日時とその評価を示す選択肢ＩＤとを対応付けて評価履歴として電子ペーパＥＰ（表示媒体ＩＤ）毎に蓄積している。図示の例によると、表示媒体ＩＤ「Ｍ１」の電子ペーパＥＰにおいて、「２００６／１／１０  １０：００」に選択肢ＩＤ「１」が選択され、「２００６／１／１０  １２：００」に選択肢ＩＤ「５」が選択され、「２００６／１／１１  １１：００」に選択肢ＩＤ「４」が選択されている。
本例では、読取装置４２からの選択肢ＩＤ及び表示媒体ＩＤの通知毎に評価履歴を蓄積しており、評価がなされた日時として、サーバ３０が通知を受けとった日時を検出して用いているが、読取装置４２が各ＩＤの読み取り時に日時を検出して各ＩＤとともにサーバ３０に通知するようにしてもよい。
【００４４】
集計手段３８は、評価対象のユーザについて、対応する評価履歴保持手段３７の評価履歴を集計して配信元評価情報を生成する。本例では、図２（ａ）及び図３（ａ）に示すように、ユーザは１つの電子ペーパＥＰを所有し、当該電子ペーパＥＰを用いて１つの配信元４３からの配信文書を閲覧しているため、ユーザが配信元４３の評価を行う場合には当該ユーザの所有する電子ペーパＥＰについて集計すればよい。
具体的には、例えば、ユーザＩＤ「Ｕ１」は、ユーザ対応テーブル３２（図２（ａ））及び媒体対応テーブル３３（図３（ａ））によって、表示媒体ＩＤ「Ｍ１」、配信元ＩＤ「Ｒ１」に対応付けられているため、表示媒体ＩＤ「Ｍ１」に該当する評価履歴保持手段３７の評価履歴を集計することで、ユーザＩＤ「Ｕ１」に対応付けられた配信元ＩＤ「Ｒ１」の配信元４３の配信元評価情報を生成できる。
なお、本例では、集計手段３８による評価対象の指定は、例えば、モバイルＰＣ、ＰＤＡ、携帯電話などの情報処理装置（図示せず）を用いて行っている。
【００４５】
出力手段３９は、集計手段３８によって生成された配信元評価情報の出力を行う。
出力例としては、例えば、図９（ａ）に示すように、或る年における評価項目（選択肢ＩＤ）毎の回答数を表示する。なお、この結果を円グラフ等を用いて表現して、一目して評価内容を把握できるようにしてもよい。
また、例えば、集計手段３８で各月毎に評価履歴を集計して配信元評価情報を生成して、図９（ｂ）に示すように、各月毎の配信元評価情報（満足度）を時系列にグラフ化して表示してもよく、配信元評価情報の時系列変化を把握できるようになる。本例では、選択肢ＩＤ毎に満足度が予め定められており、各月の満足度の平均値を当該月における配信元評価情報に採用している。
なお、集計方法は上記例に限らず、種々の統計手法を採用することができる。
【００４６】
出力手段３９による出力先としては、本例では、集計手段３８に対して評価対象の指定を行った情報処理装置のディスプレイ画面に行っているが、例えば、紙や電子ペーパにプリント出力したり、ユーザ毎に電子メールアドレスを登録しておいて当該アドレスに電子メールとして送信してもよい。
【００４７】
次に、本例の配信元評価システムにおける評価処理の動作手順を説明する。
電子ペーパＥＰが書込装置４１に装着されると、書込装置４１により電子ペーパＥＰの有するＲＦＩＤから表示媒体ＩＤが読み取られ、当該表示媒体ＩＤに対応する配信元４３から配信された配信文書の画像と選択肢画像とを合成した画像が書込制御手段３６により生成され、書込装置４２に供給されて電子ペーパＥＰの表示部２に書き込まれる。
ユーザが電子ペーパＥＰを見て配信文書を評価し、対応する選択肢のワイヤレスセンサ５を押し下げた状態で読取装置４２の通信圏内に持ち込むと、読取装置４２は、電子ペーパＥＰの各ワイヤレスセンサ５の状態を検出して押下状態のワイヤレスセンサ５に対応する選択肢ＩＤを特定し、また、ＲＦＩＤから表示媒体ＩＤを無線読み取りして、これら選択肢ＩＤ及び表示媒体ＩＤをサーバ３０に通知する。サーバ３０は、読取装置４２から受け取った選択肢ＩＤ及び表示媒体ＩＤに従って、評価履歴保持手段３７に評価履歴として蓄積保持する。
【００４８】
その後、ユーザが配信元４３を評価するために情報処理装置によって自己のユーザＩＤをサーバ３０に送信すると、集計手段３８がユーザＩＤに対応する表示媒体ＩＤの評価履歴を評価履歴保持手段３７から抽出して集計し、配信元評価情報を生成する。そして、出力手段３９が、表示媒体ＩＤに対応する配信元ＩＤの配信元評価情報として情報処理装置に提供し、情報処理装置のディスプレイに表示出力される。
したがって、ユーザは表示された配信元評価情報を見て、個々の配信文書の評価時には意識していなかった配信元に対する総合的な評価を把握でき、配信サービスの停止や継続或いは拡大を判断する際の参考として用いることができる。
【００４９】
なお、本例では、ユーザは１つの電子ペーパＥＰに対応付けられているが、図２（ｂ）に示すように、各ユーザに対して複数の電子ペーパＥＰ（すなわち、複数の配信元４３）を対応付けておいてもよく、電子ペーパＥＰ毎に評価履歴を集計することで、各電子ペーパＥＰに対応付けられた配信元４３についての配信元評価情報を生成できる。この場合は、各配信元４３のそれぞれの配信元評価情報を生成して一覧形式で出力してもよく、評価対象の配信元４３をユーザに指定させて当該配信元４３について配信元評価情報を出力してもよい。また、異なる電子ペーパＥＰに同一の配信元４３を対応付けておいてもよく、同一の配信元４３が対応付けられた複数の電子ペーパＥＰの評価履歴をまとめて集計すればよい。
【００５０】
また、図３（ｂ）に示すように、電子ペーパＥＰに複数の配信元４３を対応付けておいてもよい。この場合は、電子ペーパＥＰに配信文書の画像を書き込む際に、当該文書の配信元４３の配信元ＩＤを電子ペーパＥＰのＲＦＩＤに記憶保持させておき、読取装置４２が選択肢ＩＤ及び表示媒体ＩＤを読み取るときに配信元ＩＤも読み取ってサーバ３０に通知し、図８（ｂ）に示すように評価履歴に含めて蓄積保持させておけばよい。これにより、ユーザに評価対象として指定された配信元４３に該当する評価履歴を集計して配信元評価情報を生成したり、各配信元４３毎の評価履歴を集計してそれぞれの配信元評価情報を生成したりすることができる。
【００５１】
図１０には、本発明の配信元評価システムの他の構成例として、配信文書の画像を表示する表示装置６０が評価履歴を保持する構成を示している。
表示装置６０は、配信元４３から配信文書及び配信元ＩＤを受け取る通信手段３１、配信文書に基づいて画像を生成する表示制御手段６２、配信文書の画像や他の各種情報を表示する画面６３、評価値の入力など種々のユーザ入力を受け付ける入力手段６４、入力された評価値を評価履歴として蓄積保持する評価履歴保持手段６５、評価値を集計して配信元４３の配信元評価情報を生成する集計手段６６を有している。
なお、本例では、表示装置６０のコンピュータに本発明に係るプログラムを実行させることで、評価履歴保持手段６５、集計手段６６、表示制御手段（出力手段）６２が構成されている。
【００５２】
この表示装置６０は、以下のように動作する。
配信元４３から配信文書及び配信元ＩＤが表示装置６０に配信されると、表示制御手段６２が、配信元４３からの配信文書に基づいて画像を生成し、画面６３に供給して表示させる。ユーザが画面６３に表示された配信文書を確認して入力手段６４により当該配信文書に対する評価値を入力すると、この評価値は評価履歴保持手段６５に渡され、対応する配信元ＩＤに対応付けて蓄積保持される。
その後、入力手段６４によりユーザが評価指示を入力すると、集計手段６６は、その指示に対応する配信元４３について蓄積した評価履歴を集計して配信元評価情報を生成し、表示制御手段６２が配信元評価情報に基づく画像を生成して画面６３に表示する。
このように、表示装置６０自体が評価履歴の蓄積機能や配信元評価情報の生成機能を持つことで、ユーザが所望したときに速やかに配信元を評価できるようになる。
【図面の簡単な説明】
【００５３】
【図１】本発明の一実施例に係る配信元評価システムの構成を説明する図である。
【図２】本発明の一実施例に係るユーザ対応テーブルを説明する図である。
【図３】本発明の一実施例に係る媒体対応テーブルを説明する図である。
【図４】本発明の一実施例に係る配信元対応テーブルを説明する図である。
【図５】本発明の一実施例に係る選択肢テーブルを説明する図である。
【図６】本発明の一実施例に係る電子ペーパを示す図である。
【図７】本発明の一実施例に係る表示用画像の具体例を示す図である。
【図８】本発明の一実施例に係る評価履歴を説明する図である。
【図９】本発明の一実施例に係る配信元評価情報の出力例を示す図である。
【図１０】本発明の他の一例に係る配信元評価システムの構成を説明する図である。
【図１１】光書き込み型電子ペーパの使用方法を説明する図である。
【図１２】光書き込み型電子ペーパの動作原理を説明する図である。
【図１３】光書き込み型電子ペーパの構造を説明する図である。
【図１４】自己書き換え換え型電子ペーパの動作原理を説明する図である。
【図１５】自己書き込み型電子ペーパの構造を説明する図である。
【図１６】ワイヤレスセンサの構造を説明する図である。
【符号の説明】
【００５４】
２：表示部、  ５：パッシブセンサ、
３０：サーバ、  ３２：ユーザ対応テーブル、
３３：媒体対応テーブル、  ３４：配信元対応テーブル、
３５：選択肢テーブル、  ３６書込制御手段、
３７：評価履歴保持手段、  ３８：集計手段、
３９：出力手段、  ＥＰ：電子ペーパ
【図１】
2007219690.tif 000003
【図２】
2007219690.tif 000004
【図３】
2007219690.tif 000005
【図４】
2007219690.tif 000006
【図５】
2007219690.tif 000007
【図６】
2007219690.tif 000008
【図７】
2007219690.tif 000009
【図８】
2007219690.tif 000010
【図９】
2007219690.tif 000011
【図１０】
2007219690.tif 000012
【図１１】
2007219690.tif 000013
【図１２】
2007219690.tif 000014
【図１３】
2007219690.tif 000015
【図１４】
2007219690.tif 000016
【図１５】
2007219690.tif 000017
【図１６】
2007219690.tif 000018